(57)【要約】【課題】空気調和機においては内部に空気中に含まれる塵埃が侵入するのを防止するために、エアフィルタを設けており、エアフィルタの清掃を頻繁に行わなければならず、手間と労力を要し、特に高所に設置される天井埋込形空気調和機においてはエアフィルタが簡単に掃除出来るものが求められている。【解決手段】エアフィルタの形状を環状にし塵埃を吸引する吸い込みノズルをエアフィルタの風下に配置しエアフィルタに付着した塵埃を室内に落下さすことなく自動で取り除く装置を備えることで、エアフィルタの清掃作業を容易にする。【選択図】図１
2008138927.tif 000002
【特許請求の範囲】
【請求項１】
室内熱交換器と、室内送風機と、これらを収納する筐体と、前記筐体の下面に設けられ吸い込みグリルと吹き出し口とを有する前面パネルと、前記吸い込みグリルの筐体内側に塵埃を捕集する集塵装置とを備え、前記集塵装置は、前記吸い込みグリルの大きさに合わせてフィルタ枠を設けその両端に一対の回転軸を平行に配設し、エアフィルタをエンドレスの帯状にして前記回転軸に環状に架け、前記回転軸の一方に該回転軸を駆動する駆動装置を配設して前記エアフィルタを駆動するようにし、前記エアフィルタの前記熱交換器側の表面に対向する位置に前記エアフィルタに付着した塵埃を吸引するための吸い込みノズルを配設し、前記吸い込みノズルに接続され、塵埃を吸引する吸引装置を配設したことを特徴とする天井埋込形空気調和機。
【請求項２】
エアフィルタは、帯状でメッシュ状のネットで構成される塵埃捕集部と、この塵埃捕集部を保持する湾曲可能な枠部を帯状の短手方向の両端面から所定寸法だけ設け、エンドレスの帯状に構成したことを特徴とする請求項１に記載の天井埋込形空気調和機。
【請求項３】
環状のエアフィルタは、塵埃捕集部を少なくとも一対の回転軸のピッチ間距離に前記回転軸１個の円周を加えた長さとして、帯状のネットの幅方向の両端面から所定寸法だけ前記ネットを保持する湾曲可能な枠部を構成し、環状の残りの部分を格子状の枠として、空気調和機の運転時は、前記塵埃捕集部が吸い込みグリル側に面して、前記格子状の枠部分が熱交換器側に静止するように構成したことを特徴とする請求項１又は２に記載の天井埋込形空気調和機。
【請求項４】
帯状のエアフィルタの両端に設けた枠部に等間隔で孔を設け、前記孔と嵌め合う突起を回転軸の外周に設け、前記回転軸を駆動することにより前記エアフィルタを駆動することを特徴とする請求項１から３のうちいずれか一項に記載の天井埋込形空気調和機。
【発明の詳細な説明】
【技術分野】
【０００１】
本発明は、空気吸入口にエアフィルタを備え、エアフィルタに付着した塵埃を自動清掃する装置を備えた天井埋込型空気調和機に関するものである。
【背景技術】
【０００２】
従来の空気調和機は図６に示すように、空気を熱交換器９により熱交換を行うが、吸入された空気に含まれる塵埃が空気調和機内部に入り込むのを防止するためエアフィルタ５を設けており、このエアフィルタ５は付着した塵埃を定期的に清掃する時の便宜を図るため着脱出来るよう構成されている。
【０００３】
一方、エアフィルタの清掃が容易な空気調和機のエアフィルタ装置として、ベルト状のエアフィルタが回転し、ブラシで塵埃を掻き落とすものがある（例えば、特許文献１参照）。
【特許文献１】実開平３−８３７２３号公報
【発明の開示】
【発明が解決しようとする課題】
【０００４】
しかしながら、公知技術のエアフィルタは、空気調和機の使用頻度に応じて空気調和機よりエアフィルタを取り外し、水洗いもしくは掃除機などで付着した塵埃を掃除するという定期的なメンテナンスを要する。特に天井に埋め込まれたタイプにおいては非常な手間と労力を必要とする。また、定期的にメンテナンスが成されなかった場合、エアフィルタに塵埃が堆積し吸込み空気の通気抵抗が増大するため空気調和機の性能が低下、消費電力が増大するという課題があった。
【０００５】
一方、上記公報記載の空気調和機は、ブラシで掻き落した塵埃を収納庫に落下蓄積し捕集するものであり、掻き落した塵埃が確実に捕集できないという課題を有する。
【課題を解決するための手段】
【０００６】
前記従来の課題を解決するために、本発明の天井埋込形空気調和機はエアフィルタを環状の帯状にして回転させ、エアフィルタの風下側に設けた吸い込みノズルでエアフィルタの表面に付着した塵埃を吸引する構造としたものである。
【０００７】
これにより、高所に設置された天井埋込形空気調和機において、エアフィルタの表面に付着した塵埃を取り除くことが出来、塵埃を確実に捕集することが出来る。
【発明の効果】
【０００８】
本発明の空気調和機は、エアフィルタに付着した塵埃を自動で取り除くことにより、空気の通気抵抗の増大を防ぎ空気調和機の性能低下、消費電力の増大を防ぐ装置を提供することが出来る。
【発明を実施するための最良の形態】
【０００９】
請求項１記載の発明は、室内熱交換器と室内送風機等を収納する筐体の前面パネルと、この前面パネルに設けた吸い込みグリルと熱交換器と塵埃を捕集する集塵装置を備えた天井埋込型空気調和機において、集塵装置は、吸い込みグリルと熱交換器の間にフィルタ枠を設けその両端に一対の回転軸を平行に配設し、メッシュ状のネットで構成されるエアフィルタをエンドレスの帯状にし、回転軸に環状に架け、回転軸の一方に該回転軸を駆動する駆動装置を配設し、該駆動装置によりエアフィルタを駆動し、エアフィルタの表面に対
向する位置にエアフィルタに付着した塵埃を吸引するための吸い込みノズルと、吸い込みノズルに接続され、塵埃を吸引する吸引装置を配設したことを特徴とする。
【００１０】
この構成によれば、吸い込みノズルが熱交換器と吸い込みグリルの間に有るエアフィルタの駆動時に吸い込みノズルにより掻き採られた塵埃が吸い込みノズルに吸引されずに居室内に落下する恐れがあるが、吸い込みノズルを熱交換器とエアフィルタの間に設けることにより塵埃の居室内への落下を防止することが出来る。
【００１１】
請求項２記載の発明は、請求項１の発明において、エアフィルタは、帯状でメッシュ状のネットで構成される塵埃捕集部と、この塵埃捕集部を保持する湾曲可能な枠部を帯状の短手方向の両端面から所定寸法だけ設け、エンドレスの帯状に構成したことを特徴とする。これによれば、腰の弱いメッシュ状のネットを補強することが出来、エアフィルタの回転を円滑に行うことが出来る。
【００１２】
請求項３記載の発明は、請求項１又は２の発明において、環状のエアフィルタは、塵埃捕集部を少なくとも一対の回転軸のピッチ間距離に前記回転軸１個の円周を加えた長さとして、帯状のネットの幅方向の両端面から所定寸法だけネットを保持する湾曲可能な枠部を構成し、環状の残りの部分を格子状の枠として、空気調和機の運転時は、塵埃捕集部が吸い込みグリル側に面して、格子状の枠部分が熱交換器側に静止していることを特徴とする。ネットを環状にすれば、ファンにて空気が吸入されるとき、エアフィルタを２回通過することにより通風抵抗が増すが、上記構成により熱交換器側にネットを設けず格子状の枠のみにしたことにより通風抵抗の増大を防止することが出来る。
【００１３】
請求項４記載の発明は、帯状のエアフィルタの両端に設けた枠部に等間隔で孔を設け、孔と嵌め合う円錐状の突起を回転軸の外周に設け、回転軸を駆動することによりエアフィルタを駆動することを特徴とする。この構成によれば、請求項１〜３の発明において、エンドレスの帯状のエアフィルタの長さを精度よく作ることは難しく、基本寸法より長めのものを一対の回転軸に懸架した時たるみが生じ回転軸とエアフィルタがスリップを起こしエアフィルタが駆動しない状況が発生する恐れがあるが、回転軸の外周に突起を設け、エアフィルタの枠部に設けた孔と順次嵌め合いエアフィルタを確実に駆動することが出来る。
【００１４】
以下に、本発明の実施の形態について図面を参照しながら説明する。なお、本実施の形態によって本発明が限定されるものではない。
【００１５】
（実施の形態１）
図１は本発明の実施の形態１における天井埋込型空気調和機の断面図、図２は同じく天井埋込型空気調和機の集塵装置近傍の分解斜視図、図３は同じく集塵装置の要部断面図、図４は同じく集塵装置のエアフィルタの斜視図、図５は同じく集塵装置の要部斜視図、図６は従来の空気調和機の集塵装置の平面図である。
【００１６】
図において、空気は空気調和機の筐体７の内部に配設したファン１０により、前面パネル１に設けた吸い込みグリル６、集塵装置２のエアフィルタ５、エアガイダ４を通過し、熱交換器９で熱交換され、吹き出し口８から吹き出される。この間、空気に混在する塵埃はエアフィルタ５に付着して集塵する構造となっている。
【００１７】
エアフィルタ５を有する集塵装置２は、吸い込みグリル６より筐体７の内側で、ドレンパン３の下部にフィルタ枠１１が設けられ、フィルタ枠１１の両端に円筒状の回転軸１４がそれぞれ固定具１７により平行に回転自在に取り付けられている。また一対の回転軸１４の一方には駆動装置１５が接続されており駆動装置１５の動作により回転軸１４を回転
する構成となっている。
【００１８】
エアフィルタ５はメッシュ状のネット５ｄからなり帯状のものを環状にしている。補強枠５ａはネット５ｄが腰の弱いものであるためネット５ｄの両端を補強しており、材質は回転軸１４の弧に追随する湾曲可能で且つ引っ張り強度を有するものである。このエアフィルタ５は上記の一対の回転軸１４に懸架され、回転軸１４の回転により回転駆動する構成となっている。
【００１９】
さらに、図３に示すように、吸い込みノズル１２が熱交換器９側でフィルタ枠１１に固定され、吸い込みノズル１２に設けたスリット状の吸い込み部１２ａがエアフィルタ５に対向するように設けられている。吸い込みノズル１２の後方には吸引ユニット１３が吸引ホース１６で接続され、吸引ユニット１３の後方には室外まで伸びた排気ホース１７が接続されている。
【００２０】
このように構成した集塵装置２の動作を説明する。空気調和機が運転を停止した後、駆動装置１５の動作により回転軸１４が回転することによりエアフィルタ５も回転する。同時に吸引ユニット１３が動作し、吸い込みノズル１２の吸い込み部１２ａからエアフィルタ５に付着した塵埃を吸い込み、吸い込まれた塵埃は、吸引ホース１６を介して吸引ユニット１３に吸引され、さらに排気ホース１７を介して室外に廃棄される。
【００２１】
すなわち、空気調和機が運転中に吸い込みグリル６側に位置し塵埃が付着したエアフィルタ５の塵埃捕集部５ｅは、エアフィルタ５の回転により、吸い込みノズル１２側に移動し吸い込みノズル１２の吸い込み部１２ａの部分を通過すると塵埃が吸引され、エアフィルタ５が半回転することにより１回の吸引動作が終了する。これにより、エアフィルタ５の塵埃捕集部５ｅの表面に付着した塵埃を取り除くことが出来、塵埃を確実に除去することが出来る。
【００２２】
なお、吸引ユニット１３は空気調和機本体の外に設置してもいいし、吸引ユニットの中に塵埃を捕集する紙パックのような物を設けてもよい。
【００２３】
吸い込みノズル１２を熱交換器９とエアフィルタ５の間に設けた第一の目的は、吸い込みノズル１２により掻き採られた塵埃が、吸い込みノズル１２が吸い込みグリル６とエアフィルタ５の間にあれば吸い込みノズル１２に吸引されずに居室内に落下する恐れがあるが、これを防止することである。
【００２４】
また、図４に示すエアフィルタ５は、補強枠５ａに丸孔５ｂが等ピッチで開けられている。さらにエアフィルタ５は、一対の回転軸１４のピッチ間距離に回転軸１４の円周を加えた長さの帯状のネット５ｄの幅方向の両端面から数ミリの範囲にネット５ｄを保持する湾曲可能な補強枠５ａを構成した塵埃捕集部５ｅと、補強枠５ａの間で回転軸１４のピッチ間距離と同じ長さに相当する範囲に湾曲可能な格子状の枠５ｃとを環状に連結した構成となっている。
【００２５】
この構成により、空気調和機を運転している時は、エアフィルタ５の位置を塵埃捕集部５ｅが吸い込みグリル６側、枠５ｃの部分が熱交換器９側に設定することにより、全面をネットで構成したエアフィルタ５に比べて、空気がエアフィルタ通過する時の通風抵抗を少なくすることが出来、且つ、フィルタ５ｅの部分で塵埃を捕集することが出来る。
【００２６】
一方、エアフィルタ５は、環状に形成されており寸法精度を相当上げなければ、一対の回転軸１４に懸架した時たるみを生じ易い。たるみが生じると回転軸１４とエアフィルタ５の間ですべりが生じ、回転軸１４の回転をエアフィルタ５に伝達することが出来ずエア
フィルタ５が駆動しない恐れがある。
【００２７】
この点を鑑み、駆動装置１５を接続した回転軸１４の両端の円周にエアフィルタ５の丸孔５ｂのピッチと等しい間隔で円錐状の突起１４ａが配置されている。この突起１４ａがエアフィルタ５の丸孔５ｂに順次嵌め合い、回転軸１４の回転を確実にエアフィルタ５に伝達することが出来る。さらに環状のエアフィルタ５の寸法精度を緩和することによりコストダウンを図ることが出来る。
【産業上の利用可能性】
【００２８】
以上のように、本発明の空気調和機は、エアフィルタの形状を環状にして塵埃を吸引する吸い込みノズルをエアフィルタの風下に配置したことによりエアフィルタに付着した塵埃を室内に落下さすことなく取り除くことが出来、特に天井埋込型空気調和機のダクトタイプなどの用途にも適用できる。
【図面の簡単な説明】
【００２９】
【図１】本発明の実施の形態１における天井埋込型空気調和機の断面図
【図２】同天井埋込型空気調和機の集塵装置近傍の分解斜視図
【図３】同集塵装置の要部断面図
【図４】同集塵装置のエアフィルタの斜視図
【図５】同集塵装置の要部斜視図
【図６】従来の空気調和機の集塵装置の平面図
【符号の説明】
【００３０】
１  前面グリル
２  集塵装置
３  ドレンパン
４  エアガイダ
５  エアフィルタ
５ａ  補強枠
５ｂ  丸孔
５ｃ  枠
５ｄ  ネット
５ｅ  塵埃捕集部
６  吸い込みグリル
７  筐体
８  吹き出し口
９  熱交換器
１０  ファン
１１  フィルタ枠
１２  吸い込みノズル
１２ａ  吸い込み部
１３  吸引ユニット
１４  回転軸
１４ａ  突起
１５  駆動装置
１６  吸引ホース
１７  排気ホース
【図１】
2008138927.tif 000003
【図２】
2008138927.tif 000004
【図３】
2008138927.tif 000005
【図４】
2008138927.tif 000006
【図５】
2008138927.tif 000007
【図６】
2008138927.tif 000008